(57)【要約】【課題】パーツ指定を介した回路図提示では、どの仕様の回路図であるのかの判別が必要となり、煩雑であった。【解決手段】制御対象機器の制御に用いる複数の電装品を配線で結線した回路図を提示するに当たり、回路図を構成する電装品の電装品画像と配線の配線結線画像のデータを機械装置の仕様に対応付けて仕様ごとに記憶した上で、指定し得る仕様をユーザーに提示して、ユーザーからの仕様指定を待機する。そして、ユーザーから仕様指定があると、その指定仕様に対応して記憶済みのデータだけを用いて、指定仕様の複数の電装品画像と配線結線画像とを、同一の電装品画像と配線結線画像とは重なるようにして、画像表示器に表示する。【選択図】図９
2018159997.tif 000002
【特許請求の範囲】
【請求項１】
制御対象機器の制御に用いる複数の電装品を配線で結線した回路図を提示する回路図提示装置であって、
前記複数の電装品の電装品画像と前記配線の配線結線画像とをｘｙ平面で描画して前記回路図とし、該描画された前記回路図を構成する前記電装品画像と前記配線結線画像のデータを、前記制御対象機器の制御がなされる機械装置の仕様に対応付けて該仕様ごとに記憶するデータ記憶部と、
提示すべき仕様の指定を待機する仕様指定待機部と、
前記仕様の指定があると、該指定された指定仕様に対応して前記データ記憶部が記憶済みの前記データだけを用いて、前記指定仕様の複数の前記電装品画像と前記配線結線画像とを、同一の前記電装品画像と前記配線結線画像とは重なるようにして、画像表示器に前記回路図として表示する画像表示部とを備える、
回路図提示装置。
【請求項２】
請求項１記載の回路図提示装置であって、
前記仕様指定待機部は、
前記データについて前記データ記憶部が記憶した前記仕様をユーザーに提示し、前記提示すべき仕様の指定を前記ユーザーからの仕様指定として待機する、
回路図提示装置。
【請求項３】
請求項２記載の回路図提示装置であって、
前記画像表示部は、前記仕様指定待機部が前記仕様を前記ユーザーに提示している状況では、前記データ記憶部が前記仕様ごとに記憶した前記データを総て用いて、前記仕様ごとの複数の前記電装品画像と前記配線結線画像とを、同一の前記電装品画像と前記配線結線画像とは重なるようにして、画像表示器に表示する、
回路図提示装置。
【請求項４】
請求項１から請求項３のいずれか一項に記載の回路図提示装置であって、
前記画像表示部が前記指定仕様について前記画像表示器に表示した前記回路図の簡略図示の要否をユーザーに提示し、該ユーザーからの前記簡略図示の指定を待機する簡略指定待機部を備え、
前記画像表示部は、前記ユーザーから前記簡略図示の指定があると、前記指定仕様についての前記回路図における前記電装品画像と前記電装品画像との間隔を余白領域と規定し、該余白領域に含まれる前記配線結線画像を削除した上で前記電装品画像と前記電装品画像とを近接させて前記回路図を表示する、
回路図提示装置。
【請求項５】
請求項４に記載の回路図提示装置であって、
前記画像表示部は、前記電装品画像と前記電装品画像とが近接した前記回路図を前記画像表示器の表示領域の表示原点寄りに表示する、
回路図提示装置。
【発明の詳細な説明】
【技術分野】
【０００１】
本発明は、制御対象機器の制御に用いる複数の電装品を配線で結線した回路図を提示する回路図提示装置に関する。
【背景技術】
【０００２】
各種の機械装置では、制御対象となる駆動機器や電気機器の制御回路が準備され、その制御回路が機械装置の保守点検の際に利用されている。例えば、車両では、エンジン制御において制御対象となるインジェクタ等の駆動機器を駆動制御するための制御回路の他、シートベルトの非着用を報知する警告灯等の電気機器の制御回路などが、保守点検の際に利用されている。こうした制御回路は、制御対象となる駆動機器や電気機器に応じた各種電装品を含んで結線表示されている。制御回路の表示に当たり、制御回路に含まれるコネクター等のパーツが指定されると、そのパーツと当該パーツに対応した電装品を結線した回路図を簡便に提示する手法が提案されている（例えば、特許文献１）。
【先行技術文献】
【特許文献】
【０００３】
【特許文献１】特開２００８−３８４４号公報
【発明の概要】
【発明が解決しようとする課題】
【０００４】
上記の特許文献で提案された提示手法は、コネクター等のパーツ指定を前提とすることから、次のような改善の余地が残されている。駆動機器の駆動制御や電気機器の制御は、車両タイプや、年式、エンジンタイプ、グレード、オプションの有無等の仕様ごとに異なる。そして、駆動機器や電気機器の制御の細分化により仕様の多様化は避けられず、車両の年式増やグレードの細分化等により仕様の数も増加傾向にある。こうしたことから、多様な仕様ごとの回路図を準備したとしても、パーツ指定を介した回路図提示では、どの仕様の回路図であるのかの判別が必要となり、煩雑であった。なお、車両を例に挙げ説明したが、船舶や航空機、工作機械、工場設備等の機械装置にあっても同様である。
【課題を解決するための手段】
【０００５】
本発明は、上述の課題の少なくとも一部を解決するためになされたものであり、以下の形態として実現することが可能である。
【０００６】
（１）本発明の一形態によれば、回路図提示装置が提供される。この回路図提示装置は、制御対象機器の制御に用いる複数の電装品を配線で結線した回路図を提示する回路図提示装置であって、前記複数の電装品の電装品画像と前記配線の配線結線画像とをｘｙ平面で描画して前記回路図とし、該描画された前記回路図を構成する前記電装品画像と前記配線結線画像のデータを、前記制御対象機器の制御がなされる機械装置の仕様に対応付けて該仕様ごとに記憶するデータ記憶部と、提示すべき仕様の指定を待機する仕様指定待機部と、前記仕様の指定があると、該指定された指定仕様に対応して前記データ記憶部が記憶済みの前記データだけを用いて、前記指定仕様の複数の前記電装品画像と前記配線結線画像とを、同一の前記電装品画像と前記配線結線画像とは重なるようにして、画像表示器に前記回路図として表示する画像表示部とを備える。
【０００７】
この形態の回路図提示装置では、制御対象機器の制御に用いる複数の電装品の電装品画像と配線の配線結線画像とをｘｙ平面で描画した各仕様ごとの回路図のうち、提示すべき仕様についての回路図を速やかに提示できる。よって、ユーザーは、どの仕様の回路図が提示されているのかと言うことを意識する必要が無く、回路図の見間違いによる作業ミスの低減が可能となる。
【０００８】
（２）上記形態の回路図提示装置において、前記仕様指定待機部は、前記データについて前記データ記憶部が記憶した前記仕様をユーザーに提示し、前記提示すべき仕様の指定を前記ユーザーからの仕様指定として待機するようにしてもよい。こうすれば、ユーザーが表示を所望する仕様についての回路図だけを、速やかに提示できる。
【０００９】
（３）上記形態の回路図提示装置において、前記画像表示部は、前記待機部が前記仕様を前記ユーザーに提示している状況では、前記データ記憶部が前記仕様ごとに記憶した前記データを総て用いて、前記仕様ごとの複数の前記電装品画像と前記配線結線画像とを、同一の前記電装品画像と前記配線結線画像とは重なるようにして、画像表示器に表示するようにしてもよい。こうすれば、各仕様ごとの回路図を、同一の電装品画像と配線結線画像とが重なった回路図としてユーザーに提供できるので、ユーザーによる仕様指定の支援が可能となる。
【００１０】
（４）上記形態の回路図提示装置において、前記画像表示部が前記指定仕様について前記画像表示器に表示した前記回路図の簡略図示の要否をユーザーに提示し、該ユーザーからの前記簡略図示の指定を待機する簡略指定待機部を備え、前記画像表示部は、前記ユーザーから前記簡略図示の指定があると、前記指定仕様についての前記回路図における前記電装品画像と前記電装品画像との間隔を余白領域と規定し、該余白領域に含まれる前記配線結線画像を削除した上で前記電装品画像と前記電装品画像とを近接させて前記回路図を表示するようにしてもよい。こうすれば、ユーザーの指定した仕様の回路図を簡略して表示できる。また、簡略表示なため回路図表示サイズが小さくなるので、画面スクロールをする必要もなくなる。
【００１１】
（５）上記形態の回路図提示装置において、前記画像表示部は、前記電装品画像と前記電装品画像とが近接した前記回路図を前記画像表示器の表示領域の表示原点寄りに表示するようにしてもよい。こうすれば、画像表示器の表示領域の表示原点の側で、回路図を纏まりよく簡略表示できる。
【００１２】
本発明は、回路図提示装置の他、回路図の提示方法や、回路図提示を実現するコンピュータプログラム、そのコンピュータプログラムを記録した一時的でない記録媒体（non-transitory storage medium）等の形態で実現することができる。
【図面の簡単な説明】
【００１３】
【図１】実施形態の回路図提示装置の概略構成を示すブロック図である。
【図２】回路図提示装置がＨＤＤに記憶した回路図データを説明するための説明図である。
【図３】一つの例として複数の仕様についてのＳＢウォーニングシステムに含まれる電装品パーツ図と結線等を含んで画像表示した回路図を示す説明図である。
【図４】回路図提示装置が実行する回路図提供処理を示すフローチャートである。
【図５】ユーザーによる回路図ブラウズの起動に伴う初期入力画面表示の様子を概略的に示す説明図である。
【図６】選択された制御システム回路図にユーザーによる仕様指定を受け付ける仕様選択図を組み込み表示した様子を示す説明図である。
【図７】ユーザーによる仕様指定を受け付ける仕様選択図を拡大表示して示す説明図である。
【図８】ユーザーによる仕様指定の結果に対応した仕様選択図を示す説明図である。
【図９】ユーザーの指定仕様に対応したＳＢウォーニングシステム回路図の表示の様子を示す説明図である。
【図１０】ユーザーによるシステム回路図のコンパクト化指定の様子を示す説明図である。
【図１１】指定仕様に対応したシステム回路図における余白領域の規定の様子を概略的に示す説明図である。
【図１２】指定仕様に対応したシステム回路図を余白領域を除外してコンパクト表示した様子を示す説明図である。
【図１３】指定仕様に対応したシステム回路図における余白領域が回路表示域の左端側に生じた例を示す説明図である。
【図１４】回路表示域の左端側の余白領域を除外したシステム回路図のコンパクト表示の様子を示す説明図である。
【発明を実施するための形態】
【００１４】
本発明の実施形態としての回路図提示装置１０は、車両保守部門や保守請負企業等において用いられる。図１は、実施形態の回路図提示装置１０の概略構成を示すブロック図である。回路図提示装置１０は、液晶画面等から構成される画像表示器としてのディスプレイ１２と、入出力機器としてのキーボード１４と、マウス１６とを有する。また、回路図提示装置１０は、データを記憶するハードディスクドライブ（以下、ＨＤＤと呼ぶ）１８と、ＣＤ−ＲＯＭ２０の内容を読み取るＣＤドライブ２２とを備え、これらを統括制御する中央演算処理装置としてのＣＰＵ２４を、上記各機器並びにＲＡＭ２６、ＲＯＭ２８と相互にバスに接続して備える。回路図提示装置１０は、こうした構成を備えることから、この実施形態ではコンピュータ単独で構成され、検査車両周囲で移動できるよう、図示しない架台に設置されている。なお、ネットワーク（例えば、インターネット）を介して回路図提示装置１０を図示しないサーバーに接続し、回路図提示装置１０とサーバーとで、回路図提示装置を構成するようにすることもでき、この場合には、ネットワーク制御回路３９が付加される。
【００１５】
ＣＰＵ２４は、ＨＤＤ１８に格納されている後述の回路図表示プログラムを実行し、その際に、ＨＤＤ１８やＣＤドライブ２２のデータの読み込み、ＲＡＭ２６への一時的なデータの書き込みや読み出し、ディスプレイ１２の表示制御等を行う。ＣＤ−ＲＯＭ２０は、ＨＤＤ１８に転送すべき回路図表示プログラムや後述の各種データを予め格納しており、これらプログラム・データは、ＣＤドライブ２２を介してＨＤＤ１８に転送される。なお、回路図表示プログラムやデータは、ＣＤ−ＲＯＭ２０に格納されたものに替えて、フロッピィディスク、光磁気ディスクのほか、ＩＣカード等の種々の携帯型記録媒体（可搬型記録媒体）から転送するように構成することもできる。また、回路図提示装置１０をネットワーク制御回路３９を有するものとし、このネットワーク制御回路３９とこれが接続されたネットワーク（例えば、インターネット、イントラネット等）を介して、回路図表示プログラムやデータを外部のサーバーから転送するように構成することもできる。こうしたサーバーからの転送は、回路図表示実行の都度に当該処理実行に先立ち行うようにしたり、回路図表示を最初に行う場合にのみ行い、その転送時にプログラムやデータをＨＤＤ１８に格納するようにすることもできる。
【００１６】
次に、回路図提示装置１０における回路図データについて説明する。本実施形態の回路図提示装置１０は、例えば車両におけるＡＢＳや排ガス循環システム、アンチノッキングシステム、アイドルスピードコントロールシステム、トラクションコントロールシステム、シートベルトの非着用を報知する警告灯報知システム等の各種の制御システムの回路図を、各システムを構成する複数の電装品ごとの電装品画像と電装品に結線された配線の配線結線画像とをｘｙ平面で描画したパーツ配置図としてディスプレイ１２に画像表示する。こうした画像表示のため、回路図提示装置１０は、ＨＤＤ１８に、各種の制御システムごとに、および、それぞれの制御システムにおける仕様ごとに、各制御システムに用いられる複数の電装品の電装品画像と電装品を結線する配線の配線結線画像の描画データを記憶している点に特徴がある。図２は、回路図提示装置１０がＨＤＤ１８に記憶した回路図データを説明するための説明図である。
【００１７】
回路図提示装置１０のＨＤＤ１８は、データ記憶部として機能し、回路図データとして、図２に示すように、車両に適用される各種の制御システムに関してのデータと、コネクターやその接続対象となる各種電装品（パーツ）に関してのデータと、コネクターやパーツを配線してなるシステム回路図に関してのデータと各種属性データを記憶している。コネクターの接続対象となる電装品（パーツ）としては、種々のアクチュエータとその制御装置、例えば、エンジン関係であれば、エンジン気筒ごとのインジェクタや、ノッキングセンサ、エンジン回転数センサ等とこれらを制御する電子制御装置（ＥＣＵ、コントロールモジュール等）などがある。シートベルトの非着用を報知する警告灯報知関係であれば、各シートごとのシートベルトの装着スイッチ、警告灯、点灯・消灯スイッチ等とこれらを制御するＥＣＵなどがある。なお、他の制御システムとしては、ＡＢＳ（アンチブレーキングシステム）や排ガス循環システム、アンチノッキングシステム、アイドルスピードコントロールシステム、トラクションコントロールシステム、シートベルトの非着用を報知する警告灯報知システム等があり、例えば、ＡＢＳにおけるブレーキ機器や、アンチノッキングシステムにおけるインジェクタ等が電装品となる。
【００１８】
システムリストデータは、制御システムのタイトルを示すデータであり、その制御システムにおいて配線接続されたパーツを含んで構成される一連の接続系統、例えば、車内通信系統とか、前輪ブレーキセンサー系統、空調系統等を区別するデータと、こうした各接続系統に含まれるパーツ・配線を区別するデータ（例えば、パーツ名称や記号、配線の記号等）を備える。つまり、制御システムのタイトルとそのシステムにおける接続系統に基づいて、その接続系統に含まれるパーツや配線を特定することができる。また、制御システムに含まれる総てのパーツや配線を特定することもできる。
【００１９】
部品リストデータは、パーツとコネクターを特定できる部品リスト名や部品コードの他、コネクターがどの電装品に装着されてどういった制御システムに用いられているかを示すデータである。
【００２０】
システム回路図に含まれるパーツ・配線についてのデータは、車両に適用される各種制御システム、例えばエンジン制御システム、ＡＢＳシステム、ライト制御システム、室内照明システム、警告灯報知システム等の各制御システムごとに用意され、各制御システムにおけるアクチュエータ・センサー・その電子制御装置等の設計回路に基づいて構築される。しかも、各システムごとのパーツ・配線データは、車両タイプや、年式、エンジンタイプ、グレード、オプションの有無等の仕様ごとにも、設計回路に基づいて構築される。つまり、図２に模式的に示すように、例えば、シートベルトの非装着の警告灯報知システム（以下、ＳＢウォーニングシステムと称する）であれば、２００９年１０月（０９．１０）以前の仕様（仕様＊１）、２００９年１０月から２０１２年１０月（０９．１０〜１２．１０）の間の仕様（仕様＊２）のように、各システムごとのパーツ・配線データは、仕様ごとに構築されて、ＨＤＤ１８に記憶されている。そして、属性データとして、パーツやコネクターに関してのパーツの画像データやピン番号の位置情報データの他、配線に関してのパーツ・配線の描画形状・軌跡情報データ、位置情報データ、表記情報データが含まれる。
【００２１】
パーツの画像データは、パーツ（電装品）の電装品画像を描画するための画像データであって、制御システムに含まれるそれぞれの電装品ごとの電装品パーツを、例えばブロック図的に模式状に表してｘｙ平面状の回路図に配したパーツ配置図として描画する画像データを含む。その上で、パーツの画像データは、各パーツが果たす機能を模式的に表すためのデータ等、そのパーツを回路図において描画するために必要な画像データである。配線の画像データは、配線の配線結線画像を描画するための画像データであって、パーツ同士の実際の結線を反映してパーツ配置図における電装品パーツ図を結線する結線図を、直線或いは屈曲直線の軌跡としてパーツ配置図に重畳して画像表示するための画像データである。
【００２２】
ピン番号の位置情報データは、パーツやコネクターが有しているピンの位置を特定するデータである。結線情報データは、パーツやコネクターが有する各ピンとこれに接続された配線の情報（例えば、配線を区別する番号や色データ）と、この配線を介した接続先ピン番号と、このピンを有するコネクターを特定するための上記のコードデータと、そのコネクターの部品リスト名とを対応付けたデータである。
【００２３】
パーツ・配線の描画形状・軌跡データは、既述した画像データにおけるパーツの描画形状の規定、配線軌跡の規定に必要なデータである。パーツ・配線の位置データは、既述した画像データによるパーツ画像をｘｙ平面回路図のどの位置に配置して描画するかといった描画位置の規定に必要なデータであったり、配線軌跡をｘｙ平面回路図においてパーツ間を結線しつつ描画する際の描画位置規定に必要なデータである。パーツ・配線の表記データは、パーツ間を結ぶ実際の結線の色や実際の結線の接続端子を表す端子番号、パーツ名や機能等をテキスト表記するための情報をパーツ配置図に重畳して画像表示するために必要なデータである。こうしたデータを用いることで、各パーツはｘｙ平面回路図においてその画像が描画されると共に、各配線はその配線軌跡の画像として描画される。この場合、配線についての上記描画軌跡データと描画位置データは、配線実装の際における分岐・結合箇所等の描画のため、これら箇所を配線と一緒に描画するためのデータも含むので、配線軌跡においては分岐・結合箇所等も描画される。上記したパーツ・配線についてのデータは、パーツや配線を区別する情報（例えば、パーツ名称、パーツ記号、配線符号等）とそれぞれ対応付けられている。
【００２４】
例えば、エンジンコントロールシステムでは、インジェクタや、電源、フューズボックス、イグニッションスイッチ等のパーツについての上記データと、これらパーツを結線する配線についての上記データを総て含んで構成されている。よって、ある制御システムに含まれる上記パーツ（電装品）についての上記データと配線についての仕様ごとの上記データを総て用いれば、この制御システムの回路図を複数の仕様について画像表示できる。図３は、一つの例として複数の仕様についてのＳＢウォーニングシステムに含まれる電装品パーツ図と結線等を含んで画像表示した回路図を示す説明図である。
【００２５】
図３に示すＳＢウォーニングシステム回路図は、仕様ごとのパーツ・配線データを総て用いて、仕様ごとのＳＢウォーニングシステムに含まれる複数の電装品の電装品画像と配線の配線結線画像とを電装品パーツＰＳｄと結線図ＬＳｄで示している共に、各仕様で同一の電装品の電装品パーツＰＳｄと配線の結線図ＬＳｄとが重なるようにしてディスプレイ１２に表示する。詳しくは、ディスプレイ１２の表示領域において、左端側をシステム回路図の候補表示域ＤＬとし、残余の表示領域を回路表示域ＤＣとした場合の回路表示域ＤＣにＳＢウォーニングシステム回路図が表示される。
【００２６】
このＳＢウォーニングシステム回路図は、図示するように、システム回路図に含まれるそれぞれの電装品ごとの電装品パーツＰＳｄを枠付の矩形形状、枠無しの矩形形状等で描画して回路図内に配置したパーツ配置図を含む。また、この制御システム回路図は、パーツ配置図におけるそれぞれの電装品パーツＰＳｄを結線する結線図ＬＳｄを、実際の結線を反映してパーツ配置図に直線或いは屈曲直線の軌跡としてパーツ配置図に重畳して描画して備える。この他、図３に示すＳＢウォーニングシステム回路図は、電装品パーツＰＳｄのパーツ間を結ぶ実際の結線の色などの結線テキスト情報Ｌｉｄ、電装品パーツＰＳｄのパーツ間を結ぶ実際の結線の接続端子番号と云った端子テキスト情報Ｃｉｄ、および電装品パーツＰＳｄのパーツ名や当該パーツが果たす機能とパーツ内での結線状況等のパーツテキスト情報Ｐｉｄについても、これらを、パーツ配置図に重畳して描画して備える。
【００２７】
パーツ配置図におけるそれぞれの電装品パーツＰＳｄの描画位置は、例えば電装品パーツＰＳｄの左上角部のｘｙ座標で規定され、結線図ＬＳｄについては、電装品パーツＰＳｄにおける端子位置を起点とし、この起点のｘｙ座標と軌跡座標で規定される。結線テキスト情報Ｌｉｄや端子テキスト情報Ｃｉｄおよびパーツテキスト情報Ｐｉｄについては、テキスト表記領域の例えば左上角部のｘｙ座標で規定される。そして、図３のＳＢウォーニングシステム回路図における描画位置を定める上記のｘｙ座標は、図２に示した各種の上記の属性データに格納されている。なお、図３においては、電装品パーツＰＳｄやパーツテキスト情報Ｐｉｄ、結線図ＬＳｄ、結線テキスト情報Ｌｉｄの符合表記に当たり、煩雑さ回避のため、代表的な電装品パーツ等について電装品パーツＰＳｄ等の符合を表記した。
【００２８】
本実施形態では、図３に示すＳＢウォーニングシステム回路図は、異なる仕様、具体的には、２００９年１０月（０９．１０）以前の仕様＊１と、２００９年１０月から２０１２年１０月（０９．１０〜１２．１０）の間の仕様＊２と、２０１２年１０月（１２．１０）以前のオプションメーターの仕様＊３と、２０１２年１０月（１２．１０）以前のオプションメーターなしの仕様＊４と、２０１２年１０月（１２．１０）以降のオプションメーターの仕様＊５と、２０１２年１０月（１２．１０）以降のオプションメーターなしの仕様＊６とにおいて、これら各仕様において同一の電装品と同一の配線を含む場合には、同一の電装品画像としての電装品パーツＰＳｄと同一の配線結線画像としての結線図ＬＳｄは重なるようにして表示されている。そして、図３では、同一の電装品パーツＰＳｄは、電装品パーツＰＳｄｋとも表記され、同一の結線図ＬＳｄは、結線図ＬＳｄｋとも表記されている。つまり、電装品パーツＰＳｄｋと結線図ＬＳｄｋは、各仕様における既述したパーツ・配線データが同一の画像データに基づくものとなる。なお、パーツテキスト情報Ｐｉｄや結線テキスト情報Ｌｉｄおよび端子テキスト情報Ｃｉｄについても同様である。以下、電装品パーツＰＳｄと結線図ＬＳｄ、パーツテキスト情報Ｐｉｄ、結線テキスト情報Ｌｉｄおよび端子テキスト情報Ｃｉｄを総称する場合には、電装品パーツＰＳｄ等と、適宜、称する。
【００２９】
次に、ユーザーへの回路図提供を図る際の回路図提示装置１０の処理について説明する。図４は、回路図提示装置１０が実行する回路図提供処理を示すフローチャートである。
【００３０】
回路図提示装置１０は、まず、ユーザーによる回路図ブラウザ起動を待機し、ユーザーによる回路図ブラウズの起動がなされると、初期入力画面をディスプレイ１２に表示し、ユーザーによる制御システムの選択を待機する（ステップＳ３００）。図５は、ユーザーによる回路図ブラウズの起動に伴う初期入力画面表示の様子を概略的に示す説明図である。この初期入力画面では、ディスプレイ１２の左方表示領域である候補表示域ＤＬに、エンジン制御システム、ＡＢＳシステム、ライト制御システム、室内照明システム、ＳＢウォーニングシステム等の制御システムの名称が一覧表示される。よって、ユーザーは、この一覧から、提供を所望する制御システムを選択し、回路図提示装置１０は、ユーザーによる制御システムの選択を待機する。回路図提示装置１０は、図２に示すＲＯＭ２８或いはＨＤＤ１８に選択可能な制御システムの名称を記憶しているので、回路図ブラウズ起動に伴う初期入力画面の候補表示域ＤＬに、記憶済み制御システムのシステム名を一覧表示する。このシステム名の表示に際しては、適宜、略語等を用いて表す制御システム名称が候補表示域ＤＬに表示される。また、画面における図示しないスクロールボタンにより、制御システムのシステム名は、候補表示域ＤＬにスクロール表示される。また、初期入力画面では、ディスプレイ１２の回路表示域ＤＣの右上端に、ユーザーによる後述の仕様指定を受け付けるための仕様選択図ＳＳが表示される。なお、初期画面における仕様選択図ＳＳには、表示枠取りと後述するコマンドの一部が表示されている。
【００３１】
図５の初期入力画面にてユーザーによる制御システム選択がなされると、回路図提示装置１０は、その選択された制御システムの回路図に関するパーツ・配線データを、ＨＤＤ１８に記憶済みの図２のパーツ・コネクターやシステム回路図の各種データから検索して読み込み（ステップＳ３１０）、読み込んだ制御システム回路図とユーザーによる仕様指定を受け付ける各種コマンドを含む仕様選択図ＳＳを回路表示域ＤＣに表示する（ステップＳ３２０）。選択された制御システムの回路図に関するパーツ・配線データの検索・読み込みは、選択された制御システムに関しての車両タイプや、年式、エンジンタイプ、グレード、オプションの有無等の総ての仕様についてなされる。よって、例えば、指定された制御システムが既述したＳＢウォーニングシステムであれば、ステップＳ３１０では、図３に示すＳＢウォーニングシステム回路図が回路表示域ＤＣに表示され、このＳＢウォーニングシステム回路図には、既述した仕様＊１〜仕様＊６までの総ての仕様のＳＢウォーニングシステムに含まれる電装品パーツＰＳｄや結線図ＬＳｄ、パーツテキスト情報Ｐｉｄ、結線テキスト情報Ｌｉｄ、端子テキスト情報Ｃｉｄが含まれ、これら各仕様において同一の電装品パーツＰＳｄｋと同一の結線図ＬＳｄｋは、重なって表示される。パーツテキスト情報Ｐｉｄと、結線テキスト情報Ｌｉｄと、端子テキスト情報Ｃｉｄとについても同様である。図６は、選択された制御システム回路図にユーザーによる仕様指定を受け付ける仕様選択図ＳＳを組み込み表示した様子を示す説明図である。図７は、ユーザーによる仕様指定を受け付ける仕様選択図ＳＳを拡大表示して示す説明図である。
【００３２】
図７に示す仕様選択図ＳＳは、「絞り込み回路表示」という表題に加え、ユーザーが選択した仕様に絞り込んだ上でコンパクト表示を行うことを指定する「絞り込んでコンパクト化」というコンパクト化コマンドと、総ての仕様を指定する全指定コマンドと、指定済み仕様の総てを解除する全解除コマンドと、未指定の仕様を指定仕様に反転する反転コマンドと、仕様を個別に指定する仕様指定コマンドとが含まれる。仕様指定コマンドは、ユーザーが選択した制御システム回路図、例えば、ＳＢウォーニングシステム回路図についての既述した仕様＊１〜仕様＊６までの仕様を個別に指定する仕様ごとのコマンドが含まれている。ユーザーは、図６における仕様選択図ＳＳを見ながら、表示を所望する仕様を図７の仕様コマンドを用いて指定する。回路図提示装置１０は、仕様選択図ＳＳにおけるユーザーによるこうした仕様指定をステップＳ３２０において待機することから、ステップＳ３２０の処理内容により、本願における仕様指定待機部が構築される。なお、図５の初期入力画面における仕様選択図ＳＳには、上記したコンパクト化コマンドと、全指定コマンドと、全解除コマンドと、反転コマンドだけが表示され、仕様を個別に指定する仕様指定コマンドは表示されていない。
【００３３】
図８は、ユーザーによる仕様指定の結果に対応した仕様選択図ＳＳを示す説明図である。図８の仕様選択図ＳＳは、２００９年１０月（０９．１０）以前の仕様＊１と、２０１２年１０月（１２．１０）以前のオプションメーターの仕様＊３と、２０１２年１０月（１２．１０）以降のオプションメーターの仕様＊５と、２０１２年１０月（１２．１０）以降のオプションメーターなしの仕様＊６の四つの仕様がユーザーに指定されたことを示している。
【００３４】
回路図提示装置１０は、図８のように仕様選択図ＳＳでユーザーによる仕様指定を受けると、仕様の指定がなされていない仕様、図８の例では、仕様＊２と仕様＊４のＳＢウォーニングシステム回路図に含まれる電装品パーツＰＳｄ等を図６に表示したＳＢウォーニングシステム回路図から削除する。こうすることで、図８に示す仕様選択図ＳＳでのユーザーによる仕様指定を経て、その指定仕様に対応してＨＤＤ１８が記憶済みのＳＢウォーニングシステム回路図のパーツ・配線データだけが用いられて、指定仕様のＳＢウォーニングシステム回路図に含まれる複数の電装品パーツＰＳｄ等がディスプレイ１２の回路表示域ＤＣに表示されることになる（ステップＳ３３０）。図９は、ユーザーの指定仕様に対応したＳＢウォーニングシステム回路図の表示の様子を示す説明図である。この図９のＳＢウォーニングシステム回路図にあっても、上記の仕様＊１と、仕様＊３と、仕様＊５と、仕様＊６の四つのユーザー指定仕様に含まれる複数の電装品パーツＰＳｄ等が表示され、これらの指定仕様において同一の電装品パーツＰＳｄと結線図ＬＳｄは、重なるようにして表示されている。回路図提示装置１０は、仕様選択図ＳＳにおいてユーザーになされた仕様指定に対応したＳＢウォーニングシステム回路図をディスプレイ１２に表示することから、ステップＳ３３０の処理内容により、本願における画像表示部が構築される。なお、図７と図８に示す仕様選択図ＳＳにおいて、指定完了を示すコマンドを含ませ、このコマンド指定があった後に、図９に示すユーザー指定の回路図表示を行うようにしてもよい。
【００３５】
回路図提示装置１０は、指定仕様に対応したシステム回路図と共に図７の仕様選択図ＳＳを表示することで、コンパクト化コマンドのユーザーによる指定を待機する（ステップＳ３４０）。つまり、回路図提示装置１０は、指定仕様に対応したシステム回路図のコンパクト表示（簡略図示）の要否をユーザーに提示し、ユーザーからのコンパクト表示の指定を待機することになる。よって、図７の仕様選択図ＳＳの表示およびステップＳ３４０の処理内容により、本願における簡略指定待機部が構築される。図１０は、ユーザーによるシステム回路図のコンパクト化指定の様子を示す説明図である。
【００３６】
ユーザーにより図１０のコンパクト化コマンドが操作され、指定仕様に対応したシステム回路図のコンパクト化が指定されると、回路図提示装置１０は、図９に示した指定仕様に対応したシステム回路図のコンパクト化を図るべく、システム回路図を提示する上で不要となる余白領域を規定する（ステップＳ３５０）。本実施形態では、この余白領域を、指定仕様に対応したシステム回路図における電装品パーツＰＳｄと電装品パーツＰＳｄとの間隔に規定した。図１１は、指定仕様に対応したシステム回路図における余白領域の規定の様子を概略的に示す説明図である。図１２は、指定仕様に対応したシステム回路図を余白領域を除外してコンパクト表示した様子を示す説明図である。
【００３７】
回路図提示装置１０は、指定仕様に対応したシステム回路図において、ｘｙ平面のｘ軸方向（横方向）に隣り合って離れた電装品パーツＰＳｄの間隔に着目する。そして、図１１に示すように、隣り合う電装品パーツＰＳｄを近接表示することが可能であれば、その間隙を余白領域Ｃｒと規定し（ステップＳ３５０）、この余白領域Ｃｒに含まれる結線図ＬＳｄを削除した上で隣り合う電装品パーツＰＳｄを近接させたシステム回路図が描画できるよう、電装品パーツＰＳｄ等の描画データを加工する（ステップＳ３６０）。次いで、回路図提示装置１０は、得られた加工後の描画データに基づいて、システム回路図を図１２に示すようにコンパクト表示し（ステップＳ３７０）、ユーザーの指定仕様に対応したシステム回路図の表示処理を終了する。
【００３８】
ところで、ユーザーの指定仕様によっては、指定仕様に対応したシステム回路図の表示における余白領域Ｃｒが隣り合う電装品パーツＰＳｄの間隙の他、回路表示域ＤＣにおける左端側に生じることも有り得る。図１３は、指定仕様に対応したシステム回路図における余白領域が回路表示域ＤＣの左端側に生じた例を示す説明図である。図１４は、回路表示域ＤＣの左端側の余白領域を除外したシステム回路図のコンパクト表示の様子を示す説明図である。
【００３９】
図１３に示すように余白領域が回路表示域ＤＣの左端側に生じた場合には、既述したステップＳ３５０での余白領域規定において、回路表示域ＤＣの左端側においても余白領域Ｃｒが規定される。つまり、指定仕様に対応したシステム回路図に含まれる最左端側の電装品パーツＰＳｄおよび結線図ＬＳｄと回路表示域ＤＣの左端との間隙に何も含まれていない領域が存在すれば、その領域を余白領域Ｃｒと規定し（ステップＳ３５０）、この余白領域Ｃｒをも削除して隣り合う電装品パーツＰＳｄが近接したシステム回路図が描画できるよう、電装品パーツＰＳｄ等の描画データを加工する（ステップＳ３６０）。次いで、回路図提示装置１０は、得られた加工後の描画データに基づいて、システム回路図を図１４に示すように余白領域Ｃｒの左端側にコンパクト表示する（ステップＳ３７０）。
【００４０】
以上説明した本実施形態の回路図提示装置１０は、保守・点検等の作業の助力を図るようシステム回路図を提示するに際して、その作業に関連する複数の仕様ごとのシステム回路図のうち、作業者（ユーザー）による仕様の指定を待機する（ステップＳ３２０：図７〜図８）。そして、ユーザーが仕様を指定するとその指定仕様についてのシステム回路図を速やかに提示できる。具体的には、ユーザーがＳＢウォーニングシステムについての保守・点検等の作業を行うに当たり、本実施形態の回路図提示装置１０は、車両タイプや、年式、エンジンタイプ、グレード、オプションの有無等で定まる仕様＊１〜仕様＊６の各仕様ごとのＳＢウォーニングシステム回路図（図６参照）のうち、ユーザーの指定仕様である仕様＊１と仕様＊３と仕様＊５と仕様＊６（図８参照）についてのＳＢウォーニングシステム回路図（図９参照）を、同一の電装品パーツＰＳｄと結線図ＬＳｄとは重なるようにして、速やかにディスプレイ１２に表示（提示）できる。そして、ユーザーにあっては、自らが提示を所望するとした指定仕様についてのＳＢウォーニングシステム回路図を容易に認知できる。この結果、ユーザーは、どの仕様のＳＢウォーニングシステム回路図が提示されているのかと言うことを意識しないで済むので、回路図の見間違いによる作業ミスを低減できる。
【００４１】
本実施形態の回路図提示装置１０は、例えば、ＳＢウォーニングシステム回路図のうちでユーザーにより指定し得る仕様をユーザーに提示して仕様の指定を待機している状況では、そのＳＢウォーニングシステム回路図について指定し得る仕様ごとのＳＢウォーニングシステム回路図を、同一の電装品パーツＰＳｄと結線図ＬＳｄとは重なるようにして、ディスプレイ１２に表示する（図６参照）。この結果、本実施形態の回路図提示装置１０によれば、各仕様ごとのＳＢウォーニングシステム回路図を、同一の電装品パーツＰＳｄと結線図ＬＳｄとが重なった回路図としてユーザーに提供できるので、ユーザーによる仕様指定を支援できる。
【００４２】
本実施形態の回路図提示装置１０は、ＳＢウォーニングシステム回路図のうちでユーザーにより指定し得る仕様をユーザーに提示するに当たり、「絞り込んでコンパクト化」というコンパクト化コマンドを含む仕様選択図ＳＳを表示する（図７〜図８参照）。こうすることで、本実施形態の回路図提示装置１０は、ＳＢウォーニングシステム回路図の簡略図示の要否をユーザーに提示してユーザーからのコンパクト表示（簡略図示）の指定を待機し（ステップＳ３４０：図８）、ユーザーからのコンパクト表示の指定があると（図１０参照）、本実施形態の回路図提示装置１０は、指定仕様についてのＳＢウォーニングシステム回路図において隣り合う電装品パーツＰＳｄの間隔を余白領域Ｃｒと規定し、この余白領域Ｃｒに含まれる結線図ＬＳｄを削除した上で隣り合う電装品パーツＰＳｄを近接させてＳＢウォーニングシステム回路図をコンパクト表示する（ステップＳ３５０〜３７０：図１１〜図１２）。この結果、本実施形態の回路図提示装置１０によれば、ユーザーの指定した仕様のＳＢウォーニングシステム回路図を簡略表示できる。また、図１２に示す通り、ＳＢウォーニングシステム回路図の表示域を小さくできるので、回路図認識の際の画面スクロールが不要となると共に、図示しない印刷機器での回路図印刷の際の用紙サイズの小サイズ化や印刷用紙の節約も図ることができる。
【００４３】
本実施形態の回路図提示装置１０は、余白領域Ｃｒが回路表示域ＤＣにおける左端側にもあれば、隣り合う電装品パーツＰＳｄの間隔を余白領域Ｃｒとして削除してコンパクト表示したＳＢウォーニングシステム回路図を、回路表示域ＤＣの左端側に表示する（ステップＳ３５０〜３７０：図１３〜図１４）。よって、本実施形態の回路図提示装置１０によれば、ディスプレイ１２の回路表示域ＤＣの表示原点である左端側において纏まりよくＳＢウォーニングシステム回路図をコンパクト表示できる。
【００４４】
本実施形態の回路図提示装置１０は、図７に示すように、全指定コマンドと全解除コマンドと反転コマンドとを含む仕様選択図ＳＳを表示するので、ユーザーは、総ての仕様の指定、指定済み仕様の解除、および未指定の仕様の指定仕様への反転を、コマンド操作により容易に実行できる。よって、ユーザー自身による仕様指定の良否認定を支援できる。
【００４５】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００４６】
既述した実施形態では、提示対象となるシステム回路図が車両におけるＳＢウォーニングシステム回路図であるとして説明したが、ＡＢＳ（アンチブレーキングシステム）や排ガス循環システム、アンチノッキングシステム、アイドルスピードコントロールシステム、トラクションコントロールシステム等の各種システム回路図の指定仕様に対応したシステム回路図提示に適用してもよい。車両に限らず、船舶や航空機、工作機械、工場設備等の機械装置におけるシステム回路図提示にも適用できる。
【００４７】
既述した実施形態では、選択し得る仕様の数（仕様数）として、ＳＢウォーニングシステム回路図では仕様＊１〜仕様＊６までの仕様数を例示したが、仕様数は、ＡＢＳ（アンチブレーキングシステム）や排ガス循環システム、アンチノッキングシステム、アイドルスピードコントロールシステム、トラクションコントロールシステム等の各システムに応じて適宜な仕様数とできる。
【００４８】
既述した実施形態では、ＳＢウォーニングシステム回路図において図８のように４つの仕様を指定したが、一つの仕様の指定や、２〜３の仕様の指定、５つの仕様の指定、或いは全指定コマンドを用いた総ての仕様の指定としてもよい。
【００４９】
既述した実施形態では、隣り合う電装品パーツＰＳｄの間隙の余白領域Ｃｒと回路表示域ＤＣにおける左端側の余白領域Ｃｒとを削除してコンパクト表示したが、ある電装品パーツＰＳｄに結線された隣り合う結線図ＬＳｄの間隔が広くなっていれば、隣り合う結線図ＬＳｄの間隙を余白領域Ｃｒとして、この余白領域Ｃｒに含まれる電装品パーツＰＳｄの部位を削除してもよい。余白領域Ｃｒは、回路表示域ＤＣにおいて電装品パーツＰＳｄが上下に隣り合う場合には、この上下に隣り合う電装品パーツＰＳｄの間隙の余白領域であってもよい。この場合には、上下にコンパクト化されてシステム回路図が表示される。
【００５０】
既述した実施形態では、回路図提示装置１０が有するＨＤＤ１８にシステム回路図提示に必要な図２の各種データを記憶したが、外部のサーバーにこれらデータを記憶し、システム回路図の提示の際に、インターネット等のネットワーク回線を介して、図２の各種データをダウンロードするようにしてもよい。
【００５１】
既述した実施形態では、ＳＢウォーニングシステム等の各種システム回路図をディスプレイ１２に表示してユーザーに提示する場合について説明したが、システム回路図を印刷してユーザーに提示してもよい。また、コンパクト化したシステム回路図の提示に当たっては、回路表示域ＤＣの左端側にシステム回路図を表示したが、表示原点が回路表示域ＤＣの左側上端であったり右側下端、右側上端であれば、これらの表示原点寄りにシステム回路図をコンパクト表示してもよい。
【符号の説明】
【００５２】
１０…回路図提示装置
１２…ディスプレイ
１４…キーボード
１６…マウス
１８…ハードディスクドライブ（ＨＤＤ）
２０…ＣＤ−ＲＯＭ
２２…ＣＤドライブ
２４…ＣＰＵ
２６…ＲＡＭ
２８…ＲＯＭ
３９…ネットワーク制御回路
Ｃｒ…余白領域
ＬＳｄ、ＬＳｄｋ…結線図
Ｌｉｄ…結線テキスト情報
ＰＳｄ、ＰＳｄｋ…電装品パーツ
Ｐｉｄ…パーツテキスト情報
Ｃｉｄ…端子テキスト情報
ＳＳ…仕様選択図
ＤＣ…回路表示域
ＤＬ…候補表示域
【図１】
2018159997.tif 000003
【図２】
2018159997.tif 000004
【図３】
2018159997.tif 000005
【図４】
2018159997.tif 000006
【図５】
2018159997.tif 000007
【図６】
2018159997.tif 000008
【図７】
2018159997.tif 000009
【図８】
2018159997.tif 000010
【図９】
2018159997.tif 000011
【図１０】
2018159997.tif 000012
【図１１】
2018159997.tif 000013
【図１２】
2018159997.tif 000014
【図１３】
2018159997.tif 000015
【図１４】
2018159997.tif 000016